(57)【要約】【課題】車載システムに対する無線ＬＡＮ利用環境の設定作業を容易化する「車載システムの無線ＬＡＮ利用環境の設定方法」を提供する。【解決手段】ユーザコンピュータ３１の無線ＬＡＮ設定データ編修アップロード部３１７は、ユーザの操作に応じて、そのユーザの車載システム１に設定する無線ＬＡＮ設定データを編修し（Ｓ４０１）、車載システム１の車載システムＩＤを暗号化のキーとして暗号化し（Ｓ４０２）、無線ＬＡＮ３２、ルータ３３、ＷＡＮ４を介して設定データサーバ２にアップロードする（Ｓ４１１-４１３）。車載システム１の無線ＬＡＮ設定部１７は、移動電話機ドライバ１４、移動電話機５、ＷＡＮ４を介して設定データサーバ２にアクセスして、暗号化された無線ＬＡＮ設定データダウンロードし（Ｓ４３１-４３４）、自己の車載システムＩＤを復号のキーとして復号し（Ｓ４５１）、無線ＬＡＮドライバ１６に設定する（Ｓ４５２）。【選択図】図３
2006222518.tif 000002
【特許請求の範囲】
【請求項１】
自動車に搭載された車載システムに、当該車載システムを無線ＬＡＮを利用可能な状態とするための無線ＬＡＮ利用環境の設定を行う無線ＬＡＮ利用環境の設定方法であって、
ユーザが使用するユーザ端末において、ユーザ操作に応じて、車載システムに設定すべき無線ＬＡＮ利用環境を表す設定情報の編集を行い、ＷＡＮ上に配置されたサーバに接続し、当該サーバに編集した設定情報をアップロードする第１のステップと、
車載システムにおいて、移動電話機を用いた移動体通信を介して、前記ＷＡＮ上に配置されたサーバに接続し、当該車載システムに設定すべき無線ＬＡＮ利用環境を表す前記設定情報をダウンロードする第２のステップと、
車載システムにおいて、ダウンロードした設定情報が示す無線ＬＡＮ利用環境を、自身の無線ＬＡＮ利用環境として設定する第３のステップとを有することを特徴とする車載システムの無線ＬＡＮ利用環境の設定方法。
【請求項２】
請求項１記載の車載システムの無線ＬＡＮ利用環境の設定方法であって、
前記第１のステップにおいて、前記ユーザ端末は、編集した設定情報が表す無線ＬＡＮ利用環境を設定すべき車載システムの識別子である車載システム識別子を暗号化のキーとして、当該設定情報を暗号化して、前記サーバにアップロードし、
前記第３のステップにおいて、前記車載システムは、ダウンロードした設定情報を自身の車載システム識別子を復号のキーとして復号し、復号した設定情報が示す無線ＬＡＮ利用環境を、自身の無線ＬＡＮ利用環境として設定することを特徴とする車載システムの無線ＬＡＮ利用環境の設定方法。
【請求項３】
自動車に搭載された車載システムと、ユーザが当該ユーザの宅内で使用するユーザ端末と、ＷＡＮ上に配置されたサーバとを備えた情報システムであって、
前記ユーザ端末は、ユーザ操作に応じて、前記車載システムと当該ユーザ端末との間で無線通信が行えるようにするために、前記車載システムに設定すべき無線通信利用環境を表す設定情報の編集を行い、前記サーバに接続し、当該サーバに編集した設定情報をアップロードする設定情報アップロード手段を有し、
前記車載システムは、移動電話機を用いた移動体通信を介して、前記ＷＡＮ上に配置されたサーバに接続し、当該車載システムに設定すべき無線通信利用環境を表す前記設定情報をダウンロードするダウンロード手段と、
ダウンロードした設定情報が示す無線通信利用環境を、自身の無線通信利用環境として設定する無線通信利用環境設定手段とを有することを特徴とする情報システム。
【請求項４】
自動車に搭載された車載システムと、ユーザが当該ユーザの宅内で使用するユーザ端末と、ＷＡＮ上に配置されたサーバとを備えた情報システムであって、
前記ユーザ端末は、ユーザ操作に応じて、前記車載システムを無線ＬＡＮを利用可能な状態とするために当該車載システムに設定すべき無線ＬＡＮ利用環境を表す設定情報の編集を行い、前記サーバに接続し、当該サーバに編集した設定情報をアップロードする設定情報アップロード手段を有し、
前記車載システムは、移動電話機を用いた移動体通信を介して、前記ＷＡＮ上に配置されたサーバに接続し、当該車載システムに設定すべき無線ＬＡＮ利用環境を表す前記設定情報をダウンロードするダウンロード手段と、
ダウンロードした設定情報が示す無線ＬＡＮ利用環境を、自身の無線ＬＡＮ利用環境として設定する無線ＬＡＮ利用環境設定手段とを有することを特徴とする情報システム。
【請求項５】
請求項４記載の情報システムであって、
前記ユーザ端末のアップロード手段は、編集した設定情報が表す無線ＬＡＮ利用環境を設定すべき車載システムの識別子である車載システム識別子を暗号化のキーとして、当該設定情報を暗号化して、前記サーバにアップロードし、
前記車載システムの無線ＬＡＮ利用環境設定手段は、ダウンロードした設定情報を自身の車載システム識別子を復号のキーとして復号し、復号した設定情報が示す無線ＬＡＮ利用環境を、自身の無線ＬＡＮ利用環境として設定することを特徴とする情報システム。
【請求項６】
請求項４または５記載の情報システムであって、
前記ユーザ端末は、無線ＬＡＮに接続しており、
前記ユーザ端末のアップロード手段が編集する設定情報は、自ユーザ端末が接続している無線ＬＡＮを、前記車載システムが利用可能な状態とするために当該車載システムに設定すべき無線ＬＡＮ利用環境を表すものであることを特徴とする情報システム。
【請求項７】
請求項６記載の情報システムであって、
前記車載システムは、オーディオファイルを格納した記憶部と、記憶部に格納したオーディオファイルを再生するオーディオプレイヤと、オーディオファイル転送クライアントとを有し、
前記ユーザ端末は、オーディオファイルを格納した記録部と、オーディオファイル転送サーバとを有し、
前記車載システムのオーディオファイル転送クライアントは、自車載システムに設定されている無線ＬＡＮ利用環境に従って無線ＬＡＮに接続し、接続した無線ＬＡＮを介して、前記ユーザ端末のオーディオファイル転送サーバにアクセスし、アクセスしたオーディオファイル転送サーバから、前記ユーザ端末の記録部に記録されているオーディオファイルの転送を受け、転送されたオーディオファイルを自車載システムの記憶部に格納することを特徴とする情報システム。
【請求項８】
請求項７記載の情報システムであって、
前記ユーザ端末のオーディオファイル転送サーバは、前記ユーザ端末の記録部に記録されているオーディオファイルを、予め登録された車載システム識別子を暗号化のキーとして暗号化して、オーディオファイル転送クライアントに転送し、
前記車載システムの、オーディオファイル転送クライアントは、前記ユーザ端末のオーディオファイル転送サーバから転送されたオーディオファイルを自身の車載システム識別子を復号のキーとして復号して、前記記憶部に格納することを特徴とする情報システム。
【請求項９】
自動車に搭載された車載システムと、ユーザが当該ユーザの宅内で使用するユーザ端末とを備えた情報システムであって、
前記ユーザ端末は、ユーザ操作に応じて、前記車載システムを無線ＬＡＮを利用可能な状態とするために当該車載システムに設定すべき無線ＬＡＮ利用環境を表す設定情報の編集を行い保持する無線ＬＡＮ利用環境保持手段と、
前記車載システムは、移動電話機を用いた移動体通信を介して、前記ユーザ端末に接続し、前記無線ＬＡＮ利用環境保持手段が保持している前記設定情報をダウンロードするダウンロード手段と、ダウンロードした設定情報が示す無線ＬＡＮ利用環境を、自身の無線ＬＡＮ利用環境として設定する無線ＬＡＮ利用環境設定手段とを有することを特徴とする情報システム。
【発明の詳細な説明】
【技術分野】
【０００１】
本発明は、主として、自動車に搭載された車載システムに、当該車載システムが無線ＬＡＮを利用するために必要となる初期設定である無線ＬＡＮ利用環境の設定を行う技術に関するものである。
【背景技術】
【０００２】
無線ＬＡＮを利用して通信を行う車載システムとしては、従来、ユーザの宅内に配置されたホームサーバと、当該ホームサーバが接続している無線ＬＡＮを介して通信し、当該ホームサーバから、車載システムにおいて利用する楽曲データなどを車載システム内にダウンロードする車載システムが知られている（たとえば、特許文献１）。
【特許文献１】特開２００４-３７９８１号公報
【発明の開示】
【発明が解決しようとする課題】
【０００３】
前記従来の技術において、たとえば、無線ＬＡＮとしてIEEE802.11に準拠した無線ＬＡＮを用いる場合には、車載システムが無線ＬＡＮを利用できるようにするためには、予め、ESS-ID(Enhanced Service Set)などのネットワーク固有の識別子やその他のセキュリティ情報などを、車載システムに無線ＬＡＮ利用環境として設定する必要がある。
【０００４】
一方で、スペース上の制限などより車載システムには充分に操作性に優れたユーザインタフェースを備えていないことが多いこともあり、車載システムに対して、このような無線ＬＡＮ利用環境の設定を行うことは、一般のユーザにとっては難しく煩雑な作業となりがちである。
【０００５】
そこで、本発明は、車載システムを無線ＬＡＮを利用可能な状態とするために必要な、ユーザの、当該車載システムに対する無線ＬＡＮ利用環境の設定作業を容易化することを課題とする。
【課題を解決するための手段】
【０００６】
前記課題達成のために、本発明は、自動車に搭載された車載システムに、当該車載システムを無線ＬＡＮを利用可能な状態とするための無線ＬＡＮ利用環境の設定を行う無線ＬＡＮ利用環境の設定方法として、ユーザが使用するユーザ端末において、ユーザ操作に応じて、車載システムに設定すべき無線ＬＡＮ利用環境を表す設定情報の編集を行い、ＷＡＮ上に配置されたサーバに接続し、当該サーバに編集した設定情報をアップロードする第１のステップと、車載システムにおいて、移動電話機を用いた移動体通信を介して、前記ＷＡＮ上に配置されたサーバに接続し、当該車載システムに設定すべき無線ＬＡＮ利用環境を表す前記設定情報をダウンロードする第２のステップと、車載システムにおいて、ダウンロードした設定情報が示す無線ＬＡＮ利用環境を、自身の無線ＬＡＮ利用環境として設定する第３のステップとを有する方法を提供する。
【０００７】
このような車載システムの無線ＬＡＮ利用環境の設定方法によれば、ユーザは、ユーザ端末において車載システムに設定すべき無線ＬＡＮ利用環境を表す設定情報の編集を行って設定情報をサーバにアップロードするだけで、車載システムに無線ＬＡＮ利用環境を設定することができ、車載システムに対して特段の操作を行う必要はない。したがって、ユーザの、当該車載システムに対する無線ＬＡＮ利用環境の設定作業が容易化される。
【０００８】
ここで、このような車載システムの無線ＬＡＮ利用環境の設定方法においては、前記第１のステップにおいて、前記ユーザ端末は、編集した設定情報が表す無線ＬＡＮ利用環境を設定すべき車載システムの識別子である車載システム識別子を暗号化のキーとして、当該設定情報を暗号化して、前記サーバにアップロードし、前記第３のステップにおいて、前記車載システムは、ダウンロードした設定情報を自身の車載システム識別子を復号のキーとして復号し、復号した設定情報が示す無線ＬＡＮ利用環境を、自身の無線ＬＡＮ利用環境として設定するようにすることも、無線ＬＡＮのセキュリティ向上の観点から好ましい。
【０００９】
また、このような、本発明は車載システムの無線ＬＡＮ利用環境設定方法を実行するシステムとして、自動車に搭載された車載システムと、ユーザが当該ユーザの宅内で使用するユーザ端末と、ＷＡＮ上に配置されたサーバとを備えた情報システムを提供する。ここで、前記ユーザ端末は、ユーザ操作に応じて、前記車載システムを無線ＬＡＮを利用可能な状態とするために当該車載システムに設定すべき無線ＬＡＮ利用環境を表す設定情報の編集を行い、前記サーバに接続し、当該サーバに編集した設定情報をアップロードする設定情報アップロード手段を有し、前記車載システムは、移動電話機を用いた移動体通信を介して、前記ＷＡＮ上に配置されたサーバに接続し、当該車載システムに設定すべき無線ＬＡＮ利用環境を表す前記設定情報をダウンロードするダウンロード手段と、ダウンロードした設定情報が示す無線ＬＡＮ利用環境を、自身の無線ＬＡＮ利用環境として設定する無線ＬＡＮ利用環境設定手段とを有するものである。
【００１０】
ここで、このような情報システムでは、前記ユーザ端末のアップロード手段は、編集した設定情報が表す無線ＬＡＮ利用環境を設定すべき車載システムの識別子である車載システム識別子を暗号化のキーとして、当該設定情報を暗号化して、前記サーバにアップロードし、前記車載システムの無線ＬＡＮ利用環境設定手段は、ダウンロードした設定情報を自身の車載システム識別子を復号のキーとして復号し、復号した設定情報が示す無線ＬＡＮ利用環境を、自身の無線ＬＡＮ利用環境として設定するようにすることが、無線ＬＡＮのセキュリティ向上の観点から好ましい。
【００１１】
また、これらのような情報システムにおいて、前記ユーザ端末は、無線ＬＡＮに接続したものであって、前記ユーザ端末のアップロード手段が編集する設定情報は、自ユーザ端末が接続している無線ＬＡＮを、前記車載システムが利用可能な状態とするために当該車載システムに設定すべき無線ＬＡＮ利用環境を表すものであってもよい。
【００１２】
また、この場合には、前記車載システムを、オーディオファイルを格納した記憶部と、記憶部に格納したオーディオファイルを再生するオーディオプレイヤと、オーディオファイル転送クライアントとを備えたものとし、前記ユーザ端末を、オーディオファイルを格納した記録部と、オーディオファイル転送サーバとを備えたものとし、前記車載システムのオーディオファイル転送クライアントは、自車載システムに設定されている無線ＬＡＮ利用環境に従って無線ＬＡＮに接続し、接続した無線ＬＡＮを介して、前記ユーザ端末のオーディオファイル転送サーバにアクセスし、アクセスしたオーディオファイル転送サーバから、前記ユーザ端末の記録部に記録されているオーディオファイルの転送を受け、転送されたオーディオファイルを自車載システムの記憶部に格納するものとしてよい。
【００１３】
このようにすることにより、ユーザ端末と車載システムでオーディオファイルを無線ＬＡＮを用いて転送して共有化するオーディオファイルの共有化システムを、車載システムに対する特段の操作を必要とすることなしに、ユーザは容易に構築することができるようになる。
【００１４】
なお、この場合には、前記ユーザ端末のオーディオファイル転送サーバは、前記ユーザ端末の記録部に記録されているオーディオファイルを、予め登録された車載システム識別子を暗号化のキーとして暗号化して、オーディオファイル転送クライアントに転送し、前記車載システムの、オーディオファイル転送クライアントは、前記ユーザ端末のオーディオファイル転送サーバから転送されたオーディオファイルを自身の自車載システム識別子を復号のキーとして復号して、前記記憶部に格納するようにしてもよい。このようにすることにより、ユーザ端末に記憶されたオーディオファイルを特定の車載システムでのみ利用可能とする著作権保護が実現できる。
【００１５】
ところで、以上の情報システムは、前記サーバの機能をユーザ端末に備えるようにしてもよい。すなわち、たとえば、情報システムを、自動車に搭載された車載システムと、ユーザが当該ユーザの宅内で使用するユーザ端末とより構成し、前記ユーザ端末に、ユーザ操作に応じて、前記車載システムを無線ＬＡＮを利用可能な状態とするために当該車載システムに設定すべき無線ＬＡＮ利用環境を表す設定情報の編集を行い保持する無線ＬＡＮ利用環境保持手段を設け、前記車載システムに、移動電話機を用いた移動体通信を介して、前記ユーザ端末に接続し、前記無線ＬＡＮ利用環境保持手段が保持している前記設定情報をダウンロードするダウンロード手段と、ダウンロードした設定情報が示す無線ＬＡＮ利用環境を、自身の無線ＬＡＮ利用環境として設定する無線ＬＡＮ利用環境設定手段とを設けるようにするなどしてもよい。
また、以上の各情報システムは、自動車に搭載された車載システムと、ユーザが当該ユーザの宅内で使用するユーザ端末間で、無線ＬＡＮを介さずに無線通信を行うものとしてもよい。すなわち、この場合は、前記ユーザ端末の設定情報アップロード手段は、ユーザ操作に応じて、前記車載システムと当該ユーザ端末との間で無線通信が行えるようにするために、前記車載システムに設定すべき無線通信利用環境を表す設定情報の編集を行い、前記サーバに接続し、当該サーバに編集した設定情報をアップロードし、前記車載システムのダウンロード手段は、移動電話機を用いた移動体通信を介して、前記ＷＡＮ上に配置されたサーバに接続し、当該車載システムに設定すべき無線通信利用環境を表す前記設定情報をダウンロードする。また、前記車載システムの無線ＬＡＮ利用環境手段に代えて、車載システムには、ダウンロードした設定情報が示す無線通信利用環境を、自身の無線通信利用環境として設定する無線通信利用環境設定手段を設けるようにする。または、情報システムを、自動車に搭載された車載システムと、ユーザが当該ユーザの宅内で使用するユーザ端末とより構成し、前記ユーザ端末に、ユーザ操作に応じて、前記車載システムと当該ユーザ端末との間で無線通信が行えるようにするために、前記車載システムに設定すべき無線通信利用環境を表す設定情報の編集を行い、保持する無線通信利用環境保持手段を設け、前記車載システムに、移動電話機を用いた移動体通信を介して、前記ユーザ端末に接続し、前記無線通信利用環境保持手段が保持している前記設定情報をダウンロードするダウンロード手段と、ダウンロードした設定情報が示す無線通信利用環境を、自身の無線通信利用環境として設定する無線通信利用環境設定手段とを設ける。
【発明の効果】
【００１６】
以上のように、本発明によれば、車載システムを無線ＬＡＮを利用可能な状態とするために必要な、ユーザの、当該車載システムに対する無線ＬＡＮ利用環境の設定作業を容易化することができる。
【発明を実施するための最良の形態】
【００１７】
以下、本発明の実施形態について説明する。
図１aに、本実施形態に係る情報システムの構成を示す。
図示するように情報システムは、ユーザの自動車に搭載された車載システム１、設定データサーバ２、ユーザの宅内に配置された宅内システム３、車載システム１と設定データサーバ２と宅内システム３を収容するＷＡＮ４とを有している。
ここで、ＷＡＮ４はたとえばインターネットなどであり、車載システム１は移動電話機を用いた移動体通信を介して、公衆移動電話網上に配置されたアクセスポイントを経由してＷＡＮ４に接続する。
次に、宅内システム３は、１または複数のユーザコンピュータ３１、各ユーザコンピュータ３１を無線通信を介して収容する無線ＬＡＮ３２、無線ＬＡＮ３２に接続したルータ３３とを有している。そして、各ユーザコンピュータ３１は、無線ＬＡＮ３２を介して他のユーザコンピュータ３１と通信を行うことができる他、無線ＬＡＮ３２、ルータ３３を介してＷＡＮ４に接続することができる。
【００１８】
また、あるユーザの車載システム１は、無線ＬＡＮ利用環境が設定されている場合、自宅車庫など自宅近傍に自動車が位置するときには、図１ｂに示すように自宅に配置された宅内システム３の無線ＬＡＮ３２を利用してユーザコンピュータ３１と通信を行うことができる。
次に、図２に、設定データサーバ２、車載システム１、ユーザコンピュータ３１の内部構成を示す。
図示するように、設定データサーバ２は、ダウンロードサーバ２１、暗号化された各車載システム用の無線ＬＡＮ設定データを保管する無線ＬＡＮ設定データ保管部２２、アップロードサーバ２３、ユーザ認証部２４、ユーザを認証するためのユーザ認証データを格納したユーザデータベース２５とを備えている。
【００１９】
また、車載システム１は、楽曲データなどのオーディオデータのファイルであるオーディオファイルを記憶するＨＤＤ１１、ＨＤＤ１１に記憶されたオーディオファイルを再生しスピーカ１２に出力するオーディオプレイヤ１３、車載システム１に接続された移動電話機５を介した移動体通信を制御する移動電話機ドライバ１４、無線ＬＡＮ３２に無線通通信を介して接続する無線ＬＡＮインタフェース１５、無線ＬＡＮインタフェース１５を介した無線ＬＡＮ３２との通信を設定された無線ＬＡＮ利用環境に従って制御する無線ＬＡＮドライバ１６、無線ＬＡＮ設定部１７、オーディオデータ同期クライアント１８、以上各部を制御する制御部１９とを備えている。
【００２０】
次に、ユーザコンピュータ３１は、楽曲データなどのオーディオデータのファイルであるオーディオファイルを記憶するＨＤＤ３１１、ＨＤＤ３１１に記憶されたオーディオファイルを再生しスピーカ３１２に出力するオーディオプレイヤ３１３、無線ＬＡＮ３２に無線通通信を介して接続する無線ＬＡＮインタフェース３１４、無線ＬＡＮインタフェース３１４を介した無線ＬＡＮ３２との通信を制御する無線ＬＡＮドライバ３１５、オーディオデータ同期サーバ３１６、無線ＬＡＮ設定データ編修アップロード部３１７、以上各部を制御する制御部３１８とを備えている。
【００２１】
ただし、設定データサーバ２、車載システム１、ユーザコンピュータ３１は、それぞれ汎用的な構成を備えたコンピュータを用いて構成してよく、この場合、以上の各装置の各部の全部または一部は、コンピュータが所定のプログラムを実行することにより、プロセスとしてコンピュータ上に形成される。
【００２２】
ここで、図３ａに、設定データサーバ２のユーザデータベース２５の内容を示す。
図示するように、ユーザデータベース２５には、各車載システム毎に設けられたユーザ認証データエントリが記録され、各ユーザ認証データエントリ（図３ａの各行）には、その車載システム１のユーザの識別子であるユーザＩＤと、その車載システム１のユーザに付与されているパスワードが格納される。
【００２３】
次に、図３ｂに、設定データサーバ２の、無線ＬＡＮ設定データ保管部２２に保管される内容を示す。図示するように、無線ＬＡＮ設定データ保管部２２には、車載システム毎に設けられた無線ＬＡＮ設定データエントリ（図３ｂの各行）が記録され、各無線ＬＡＮ設定データエントリには、その車載システム１用の暗号化された暗号化無線ＬＡＮ設定データである暗号化無線ＬＡＮ設定データと、その車載システム１のユーザのユーザＩＤと、その車載システム１の暗号化無線ＬＡＮ設定データが無線ＬＡＮ設定データ保管部２２に保管された日時を表す更新日時とが格納される。なお、図中の、ＥＮＣ（Ｘ）は、Ｘを暗号化した値を示す。
【００２４】
ここで、無線ＬＡＮ設定データとは、あるユーザの車載システム１が当該ユーザの宅内システム３の無線ＬＡＮ３２を利用できるようにするために、当該車載システム１に設定するデータであり、その車載システム１の無線ＬＡＮ利用環境を規定するものである。具体的には、たとえば、無線ＬＡＮ設定データには、その無線ＬＡＮ設定データが設定されるべき車載システム１のユーザの宅内システム３の無線ＬＡＮ３２がIEEE 802.11に準拠したネットワークであれば、その無線ＬＡＮ３２のサービス識別子であるESS-IDやSSID、や、その無線ＬＡＮ３２で通信に用いられる暗号ＷＥＰ用の暗号キーの値などが含まれることになる。
【００２５】
以下、このような情報システムにおける、車載システム１への無線ＬＡＮ設定データの設定動作について、図４の情報システムの動作シーケンス例を参照して説明する。
まず、宅内システム３のユーザコンピュータ３１には、そのユーザコンピュータ３１のユーザが所有する１または複数の車載システム１の車載システムＩＤが予め登録されている。そして、宅内システム３のユーザコンピュータ３１の無線ＬＡＮ設定データ編修アップロード部３１７は、ユーザの操作に応じて、そのユーザの車載システム１に設定する無線ＬＡＮ設定データを編修する（Ｓ４０１）。そして、編修が完了したならば、予め登録されている車載システム１の車載システムＩＤのうちの、編修された無線ＬＡＮ設定データを設定する車載システム１の車載システムＩＤを暗号化のキーとして暗号化し、暗号化無線ＬＡＮ設定データとする（Ｓ４０２）。
【００２６】
次に、ユーザ操作に応じて、無線ＬＡＮ設定データ編修アップロード部３１７は、無線ＬＡＮ３２、ルータ３３、ＷＡＮ４を介して設定データサーバ２のアップロードサーバ２３にアクセス（Ｓ４１１）する。
そして、無線ＬＡＮ設定データ編修アップロード部３１７は、アップロードサーバ２３との間でユーザ認証処理を行う（Ｓ４１２）。すなわち、無線ＬＡＮ設定データ編修アップロード部３１７は、ユーザから入力を受け付けた又は予め設定されている、編修された無線ＬＡＮ設定データを設定する車載システム１用のユーザＩＤとパスワードをアップロードサーバ２３に送信しユーザ認証を要求する。アップロードサーバ２３は、ユーザ認証部２４に、受け取ったユーザＩＤとパスワードの認証処理を要求し、ユーザ認証部２４は、ユーザデータベース２５に、認証を要求されたユーザＩＤとパスワードに対応するユーザ認証データエントリが存在する場合には、認証成功をアップロードサーバ２３に応答し、アップロードサーバ２３は、認証成功が応答された場合には、無線ＬＡＮ設定データ編修アップロード部３１７に認証成功を応答する。
【００２７】
なお、ユーザ認証部２４は、ユーザデータベース２５に、認証を要求されたユーザＩＤとパスワードに対応するユーザ認証データエントリが存在しない場合には、認証失敗をアップロードサーバ２３に応答し、アップロードサーバ２３は、認証失敗が応答された場合には、無線ＬＡＮ設定データ編修アップロード部３１７に認証失敗を応答する。そして、認証失敗を応答された無線ＬＡＮ設定データ編修アップロード部３１７は、認証失敗をユーザに通知することになる。
【００２８】
さて、無線ＬＡＮ設定データ編修アップロード部３１７は、認証成功を応答されたならば、暗号化無線ＬＡＮ設定データをアップロードサーバ２３にアップロードする（Ｓ４１３）。暗号化無線ＬＡＮ設定データのアップロードを受けたアップロードサーバ２３は、アップロードされた暗号化無線ＬＡＮ設定データを無線ＬＡＮデータ保管庫に保管する（Ｓ４２１）。すなわち、アップロードサーバ２３は、先にユーザ認証部２４から認証成功が通知されたユーザＩＤを持つ無線ＬＡＮ設定データエントリが無線ＬＡＮデータ保管庫に存在するかどうかを調べ、存在する場合には、その無線ＬＡＮ設定データエントリを対象エントリとし、存在しない場合には、新たな無線ＬＡＮ設定データエントリを無線ＬＡＮ設定データ保管庫に作成し、作成した無線ＬＡＮ設定データエントリを対象無線ＬＡＮ設定データエントリとする。そして、対象無線ＬＡＮ設定データエントリに、先にユーザ認証部２４から認証成功が通知されたユーザＩＤと、アップロードされた暗号化無線ＬＡＮ設定データを格納する。また、対象無線ＬＡＮ設定データエントリの更新日時を現在日時に設定する。
【００２９】
さて、この後、車載システム１が起動された場合、または、車載システム１においてユーザから無線ＬＡＮ利用環境の設定を要求されると、車載システム１の無線ＬＡＮ設定部１７は、図５に示す無線ＬＡＮ設定処理を行う。
すなわち、まず、無線ＬＡＮ設定部１７は、移動電話機ドライバ１４、移動電話機５、ＷＡＮ４を介して設定データサーバ２のダウンロードサーバ２１にアクセスする（ステップ５０２、Ｓ４３１）。そして、無線ＬＡＮ設定部１７は、ダウンロードサーバ２１との間でユーザ認証処理を行う（Ｓ４３２）。すなわち、無線ＬＡＮ設定部１７は、ユーザから入力を受け付けた又は予め設定されている当該車載システム１のユーザのユーザＩＤとパスワードをダウンロードサーバ２１に送信し（ステップ５０４）、ユーザ認証を要求する。ダウンロードサーバ２１は、ユーザ認証部２４に、受け取ったユーザＩＤとパスワードの認証処理を要求し、ユーザ認証部２４は、認証処理を要求されたユーザＩＤとパスワードに対応するユーザ認証データエントリがユーザデータベース２５に存在する場合には、認証成功をダウンロードサーバ２１に応答し、ダウンロードサーバ２１は、認証成功が応答された場合には、無線ＬＡＮ設定部１７に認証成功を応答する。
【００３０】
一方、ユーザ認証部２４は、ユーザデータベース２５に認証処理を要求されたユーザＩＤとパスワードが記述されたユーザ認証データエントリが存在しない場合には、認証失敗をダウンロードサーバ２１に応答し、ダウンロードサーバ２１は、認証失敗が応答された場合には、無線ＬＡＮ設定部１７に認証失敗を応答する。
【００３１】
そして、無線ＬＡＮ設定部１７は、認証失敗を応答された場合には（ステップ５０６）、認証失敗を通知するエラーメッセージを表示し（ステップ５１８）、無線ＬＡＮ設定処理を終了する。一方、無線ＬＡＮ設定部１７は、認証成功を通知された場合には（ステップ５０６）、自車載システム用の新たな無線ＬＡＮ設定データが存在するかどうかをダウンロードサーバ２１との間で確認する（Ｓ４３３）。
【００３２】
すなわち、無線ＬＡＮ設定部１７は、最後に無線ＬＡＮドライバ１６に対して行った無線ＬＡＮ利用環境の設定に用いた無線ＬＡＮ設定データの更新日時を、ダウンロードサーバ２１に送信し、送信した更新日時よりも新しい更新日時の無線ＬＡＮ設定データが存在するかどうかを問い合わせる（ステップ５０８）。一方、この問い合わせを受けたダウンロードサーバ２１は、受け取った更新に日時よりも新たらしい更新日時と、先にユーザ認証部２４から認証成功が通知されたユーザＩＤが登録されている無線ＬＡＮ設定データエントリが無線ＬＡＮ設定データ保管部２２に保管されているかどうかを調べ、存在する場合には、新規無線ＬＡＮ設定データ有りを無線ＬＡＮ設定部１７に応答し、他の場合には、新規無線ＬＡＮ設定データ無しを無線ＬＡＮ設定部１７に応答する。
【００３３】
そして、無線ＬＡＮ設定部１７は、ダウンロードサーバ２１から、新規無線ＬＡＮ設定データ無しを応答された場合には（ステップ５１０）、そのまま無線ＬＡＮ設定処理を終了する。一方、ダウンロードサーバ２１から新規無線ＬＡＮ設置データ有りを応答された場合には（ステップ５１０）、無線ＬＡＮ設定データのダウンロードをダウンロードサーバ２１に要求し、当該要求の応答としてダウンロードサーバ２１から送信された暗号化無線ＬＡＮ設定データをＨＤＤ１１に一時保管する（ステップ５１２、Ｓ４３４）。
【００３４】
さて、無線ＬＡＮ設定部１７から、無線ＬＡＮ設定データのダウンロードを要求されたダウンロードサーバ２１は、先にユーザ認証部２４から認証成功が通知されたユーザＩＤが登録されている無線ＬＡＮ設定データエントリから、暗号化無線ＬＡＮ設定データと更新日時を読み出し（Ｓ４２２）、無線ＬＡＮ設定部１７に送信する（Ｓ４３４）。
【００３５】
さて、このようにして暗号化無線ＬＡＮ設定データと更新日時をＨＤＤ１１にダウンロードしたならば、無線ＬＡＮ設定部１７は、暗号化無線ＬＡＮ設定データを、予め自己に設定されている車載システムＩＤを復号のキーとして用いて復号し（Ｓ４５１）、復号した無線ＬＡＮ設定データに従って、無線ドライバに無線ＬＡＮ利用環境を設定する（ステップ５１４、Ｓ４５２）。また、更新日時を、最後に無線ＬＡＮドライバ１６に対して行った無線ＬＡＮ利用環境の設定に用いた無線ＬＡＮ設定データの更新日時として保管する（ステップ５１６）。そして、無線ＬＡＮ設定処理を終了する。
【００３６】
さて、このようにして車載システム１の無線ＬＡＮドライバ１６に無線ＬＡＮ利用環境が設定されると、無線ＬＡＮドライバ１６は、定期的にまたはユーザの操作に応答して、設定されている無線ＬＡＮ利用環境に従って無線ＬＡＮ３２へのアクセスを行い（Ｓ４６１）、無線ＬＡＮ３２からの認証を受け、無線ＬＡＮ３２から無線ＬＡＮ３２上において用いるアドレスなどの無線ＬＡＮ３２を利用するために必要な資源の割当をうける（Ｓ４６２）。ただし、ここでいう無線ＬＡＮ３２とは、より具体的には、たとえば、ＥＳＳ-ＩＤやＷＥＰを用いたセキュリティ処理を行う無線アクセスポイントや、ＩＰアドレスの割当を行うDHCPサーバなどを含むものである。
【００３７】
そして、このようにして車載システム１は、無線ＬＡＮ３２を利用できる状態となる。
さて、車載システム１において無線ＬＡＮ３２を利用可能となったならば、車載システム１のオーディオデータ同期クライアント１８は、無線ＬＡＮ３２を介して、ユーザコンピュータ３１のオーデオデータ同期サーバ３１６を、たとえばブロードバンド問い合わせを発行することなどにより探索してアクセスする（Ｓ４７１）。
【００３８】
そして、オーディオデータ同期クライアント１８とオーデオデータ同期サーバ３１６の間で、ＨＤＤ１１に記憶されているオーディオファイルと、ＨＤＤ３１１に記憶されているオーディオファイルの相違を確認しあう（Ｓ４７２）。そして、オーディオデータ同期クライアント１８は、ＨＤＤ１１に記憶されておらずＨＤＤ３１１に記憶されているオーディオファイルを、オーデオデータ同期サーバ３１６からダウンロードし、ＨＤＤ１１に保存する（Ｓ４７３）。
【００３９】
なお、このとき、オーディオデータ同期クライアント１８は、ＨＤＤ１１に記憶されておりＨＤＤ３１１に記憶されていないオーディオファイルを、ＨＤＤ１１から削除するようにしてもよい。
また、オーデオデータ同期サーバ３１６において、オーディオデータ同期クライアント１８からのアクセスを受けた際に、オーディオデータ同期クライアント１８から車載システムＩＤの送送信を受け、受信した車載システムＩＤと予め登録されている車載システムＩＤの一致判定により、車載システム１の認証を行うようにしてもよい。また、オーデオデータ同期サーバ３１６は、オーディオデータ同期クライアント１８に、オーディオファイルを送信する際に、認証した車載システムＩＤを暗号化のキーとしてオーディオファイルを暗号化して送信し、オーディオデータ同期クライアント１８において、自己の車載システムＩＤを復号のキーとして受信したオーディオファイルを復号し、ＨＤＤ１１に記憶するようにしてもよい。
【００４０】
以上、本発明の実施形態について説明した。
以上のように本実施形態によれば、ユーザは、ユーザコンピュータ３１において車載システム１に設定すべき無線ＬＡＮ設定データの編集を行って設定データサーバ２にアップロードするだけで、車載システム１に無線ＬＡＮ利用環境を設定することができ、車載システム１に対して特段の操作を行う必要はない。したがって、ユーザの、当該車載システム１に対する無線ＬＡＮ利用環境の設定作業が容易化される。
【００４１】
また、ユーザコンピュータ３１から設定データサーバ２には、無線ＬＡＮ設定データを、その無線ＬＡＮ設定データを設定する車載システム１の車載システムＩＤをキーとして暗号化してアップロードし、暗号化された無線ＬＡＮ設定データをダウンロードした車載システム１において自身の車載システムＩＤを復号のキーとして復号して使用するようにしているので、ＷＡＮ４上で無線ＬＡＮ設定データが盗まれ、盗まれた無線ＬＡＮ設定データを用いて無線ＬＡＮ３２に不正侵入されてしまうようなことを防止することができる。
【００４２】
また、本実施形態によれば、ユーザコンピュータ３１と車載システム１でオーディオファイルを無線ＬＡＮ３２を用いて転送して共有化するオーディオファイルの共有化システムを、車載システム１に対する特段の操作を必要とすることなしに、ユーザは容易に構築することができるようになる。また、このオーディオファイルのユーザコンピュータ３１と車載システム１との間のオーディオファイルの転送において車載システム１の認証やオーディオファイルの暗号化のキーとして用いる車載システム１の車載システムＩＤを、前述した無線ＬＡＮ設定データの暗号化にも共有しているので、前述した無線ＬＡＮ設定データのセキュリティのためだけの暗号化や復号のキーの設定を別途行う必要がない。
【００４３】
ところで、以上の情報システムは、設定データサーバ２の機能を各ユーザコンピュータ３１に備えるようにしてもよい。
すなわち、図６に示すように設定データサーバ２を廃し、代わりに、ユーザコンピュータ３１にダウンロードサーバ２１と、ユーザデータベース２５と、無線ＬＡＮ設定データ保管庫を備えるようにする。ただし、ユーザデータベース２５には、そのユーザコンピュータ３１のユーザについてのみのオーデオデータ同期サーバ３１６のみが格納され、無線ＬＡＮ設定データ保管庫には、そのユーザの所有する車載システム１の無線ＬＡＮ設定データエントリのみが格納される。また、無線ＬＡＮ設定データ保管庫の、無線ＬＡＮ設定データエントリには、無線ＬＡＮ設定データ編修アップロード部３１７によって、暗号化無線ＬＡＮ設定データや更新日時が格納される。そして、車載システム１の無線ＬＡＮ設定部１７は、設定データサーバ２に代えて、移動電話機ドライバ１４、移動電話機５、ＷＡＮ４、ルータ３３、無線ＬＡＮ３２を介してユーザコンピュータ３１のダウンロードサーバ２１にアクセスし、以上の各処理を行うようにする。
【００４４】
また、以上の実施形態では、ユーザコンピュータ３１と車載システム１との間で無線ＬＡＮ３２を介して通信する場合について説明したが、本実施形態は、ユーザコンピュータ３１と車載システム１との間でBluetooth（登録商標）などの近距離無線通信を介して通信を行う場合についても同様に適用することができる。たとえば、ユーザコンピュータ３１と車載システム１との間の通信にBluetoothを用いる場合には、ユーザコンピュータ３１において、無線ＬＡＮ設定データに代えて、ユーザコンピュータ３１と車載システム１間で認証に用いるPINなどを登録した無線通信設定データを用い、車載システム１においてダウンロードサーバ２１から入手した無線通信設定データに従って自身のBluetooth利用環境の設定を行うようにすればよい。
【図面の簡単な説明】
【００４５】
【図１】本発明の実施形態に係る情報システムの構成を示すブロック図である。
【図２】本発明の実施形態に係る設定データサーバ、車載システム、ユーザコンピュータの内部構成を示すブロック図である。
【図３】本発明の実施形態に係るユーザデータベースと無線ＬＡＮ設定データ保管庫に記憶されるデータを示す図である。
【図４】本発明の実施形態に係る情報システムの動作例を示すシーケンス図である。
【図５】本発明の実施形態に係る車載システムが行う無線ＬＡＮ設定処理を示すフローチャートである。
【図６】本発明の実施形態に係る情報システムの他の構成例を示すブロック図である。
【符号の説明】
【００４６】
１…車載システム、２…設定データサーバ、３…宅内システム、４…ＷＡＮ、５…移動電話機、１１…ＨＤＤ、１２…スピーカ、１３…オーディオプレイヤ、１４…移動電話機ドライバ、１５…無線ＬＡＮインタフェース、１６…無線ＬＡＮドライバ、１７…無線ＬＡＮ設定部、１８…オーディオデータ同期クライアント、１９…制御部、２１…ダウンロードサーバ、２２…無線ＬＡＮ設定データ保管部、２３…アップロードサーバ、２４…ユーザ認証部、２５…ユーザデータベース、３１…ユーザコンピュータ、３２…無線ＬＡＮ、３３…ルータ、３１１…ＨＤＤ、３１２…スピーカ、３１３…オーディオプレイヤ、３１４…無線ＬＡＮインタフェース、３１５…無線ＬＡＮドライバ、３１６…オーディオデータ同期サーバ、３１７…無線ＬＡＮ設定データ編修アップロード部、３１８…制御部。
【図１】
2006222518.tif 000003
【図２】
2006222518.tif 000004
【図３】
2006222518.tif 000005
【図４】
2006222518.tif 000006
【図５】
2006222518.tif 000007
【図６】
2006222518.tif 000008